(57)【要約】【課題】  レンズカバーの閉位置から開位置への不用意な移動を簡易な構成で防止することの可能な撮像装置を提供する。【解決手段】  クリックシャフト２０の先端部２０Ａは、開口部２２Ａから当接代Ｄだけ突出されている。このとき、クリックシャフト２０は、リブ３５とストッパー４０との間に係合されている。この状態で、レンズカバー１６に対して、レンズカバー１６を閉位置Ｐ１から開位置Ｐ２へ移動させる力が加えられても、クリックシャフト２０の先端部２０Ａがストッパー４０の面４０Ａに当接されて移動が規制される。【選択図】  図２
2005141112.tif 000002
【特許請求の範囲】
【請求項１】
筐体と、
前記筐体に取り付けられ、撮影用レンズの前面を覆う閉位置と前記撮像用レンズの前面を開放する開位置と、の間を移動可能なレンズカバーと、
前記筐体または前記レンズカバーのいずれか一方に設けられ、前記レンズカバーが閉位置に位置するときに他方と係合されると共に、前記レンズカバーの前記閉位置と開位置との間の移動に伴って他方と摺動されるクリック部材と、
前記クリック部材と当接されることにより前記閉位置から開位置への前記レンズカバーの移動を阻止するロック部材と、
前記クリック部材と前記ロック部材との当接を解除させて前記閉位置から開位置への前記レンズカバーの移動を可能とするロック解除部材と、
を備えた撮像装置。
【請求項２】
前記クリック部材には、前記クリック部材の設けられた前記筐体または前記レンズカバーのいずれか一方から前記クリック部材を突出させる方向へ付勢する付勢部材が取り付けられ、
前記ロック部材は、突出された状態の前記クリック部材と当接されることにより前記レンズカバーの前記閉位置から開位置への移動を阻止し、
前記ロック解除部材は、前記付勢部材を付勢力に抗して前記クリック部材の設けられている筐体またはレンズカバーの内側方向へ移動させることにより前記付勢部材と前記ロック部材との当接を解除すること、
を特徴とする請求項１に記載の撮像装置。
【発明の詳細な説明】
【技術分野】
【０００１】
本発明は、撮像装置に係り、撮像用レンズをカバーするレンズカバーを備えた撮像装置に関する。
【背景技術】
【０００２】
通常、カメラやビデオカメラなどの撮像装置には、撮像用レンズを保護するためにレンズカバーが備えられている。このレンズカバーは、撮影用レンズの前面を覆う閉位置において撮像装置の筐体と係合されると共に、簡易にこの係合を解除して撮像用レンズの前面を開放する開位置へと移動可能とされている（特許文献１参照）。
【０００３】
しかしながら、特許文献１に記載の技術では、閉位置におけるレンズカバーと筐体との係合が簡単に解除されてしまい、撮像装置を搬送中にレンズカバーが閉位置から移動して撮像用レンズが露出されてしまうおそれがあった。
【特許文献１】特開平７−３３３６８７号公報
【発明の開示】
【発明が解決しようとする課題】
【０００４】
本発明は上記事実を考慮し、レンズカバーの閉位置から開位置への不用意な移動を簡易な構成で防止することの可能な撮像装置を提供することを目的とする。
【課題を解決するための手段】
【０００５】
上記課題を解決するため、本発明の撮像装置は、筐体と、前記筐体に取り付けられ、撮影用レンズの前面を覆う閉位置と前記撮像用レンズの前面を開放する開位置と、の間を移動可能なレンズカバーと、前記筐体または前記レンズカバーのいずれか一方に設けられ、前記レンズカバーが閉位置に位置するときに他方と係合されると共に、前記レンズカバーの前記閉位置と開位置との間の移動に伴って他方と摺動されるクリック部材と、
前記クリック部材と当接されることにより前記閉位置から開位置への前記レンズカバーの移動を阻止するロック部材と、前記クリック部材と前記ロック部材との当接を解除させて前記閉位置から開位置への前記レンズカバーの移動を可能とするロック解除部材と、を含んで構成されている。
【０００６】
本発明の撮像装置は、筐体と筐体に取り付けられたレンズカバーとを備える。レンズカバーは、撮影用レンズの前面を覆う閉位置と撮像用レンズの前面を開放する開位置と、の間を移動可能とされている。筐体またはレンズカバーのいずれか一方には、クリック部材が設けられている。クリック部材は、レンズカバーが閉位置に位置するときに筐体またはレンズカバーのうちのクリック部材が設けられていない他方と係合されると共に、レンズカバーの閉位置と開位置との間の移動に伴って前記他方と摺動される。
【０００７】
従来の技術では、クリック部材は係合と係合の解除がスムーズに行われる必要があるため、レンズカバーに対して力が加わることにより容易に係合が解除され、レンズカバーが閉位置から移動してしまう。
【０００８】
そこで、本発明では、ロック部材を設け、クリック部材とロック部材とが当接されることによりレンズカバーの前記閉位置から開位置への移動を阻止する。そして、ロック解除部材が、前記当接を解除させて、レンズカバーの閉位置から開位置への移動を可能とする。これにより、レンズカバーは閉位置から開位置へと移動可能になる。
【０００９】
上記撮像装置によれば、ロック部材によって、レンズカバーの閉位置から開位置への不用意な移動を防止することができる。また、クリック部材とロック部材とが当接されることによりレンズカバーの移動を阻止している、すなわち、クリック部材を用いてレンズカバーの移動を阻止しているので、別にロック機構を設ける場合と比較して、簡易な構成とすることができる。
【００１０】
なお、本発明の撮像装置は、請求項２に記載のように、前記クリック部材には、前記クリック部材の設けられた前記筐体または前記レンズカバーのいずれか一方から前記クリック部材を突出させる方向へ付勢する付勢部材が取り付けられ、前記ロック部材は、突出された状態の前記クリック部材と当接されることにより前記レンズカバーの前記閉位置から開位置への移動を阻止し、前記ロック解除部材は、前記付勢部材を付勢力に抗して前記クリック部材の設けられている筐体またはレンズカバーの内側方向へ移動させることにより前記付勢部材と前記ロック部材との当接を解除すること、を特徴とすることもできる。
【００１１】
上記構成の撮像装置では、クリック部材は付勢されて前記クリック部材の設けられた筐体またはレンズカバーのいずれか一方から突出されている。ロック部材は、突出された状態のクリック部材に当接されることにより、レンズカバーの閉位置から開位置への移動を阻止する。また、ロック解除部材は、クリック部材を構成する付勢部材を付勢力に抗してクリック部材の設けられている筐体またはレンズカバーの内側方向へ移動させる。この移動によって、付勢部材とロック部材との当接が解除され、レンズカバーは閉位置から開位置へと移動することが可能となる。
【発明の効果】
【００１２】
本発明の撮像装置は上記構成としたので、レンズカバーの閉位置から開位置への不用意な移動を簡易な構成で防止することができる。
【発明を実施するための最良の形態】
【００１３】
以下、図面を参照して、本発明の実施形態について詳細に説明する。
【００１４】
図１（Ａ）（Ｂ）に示すように、カメラ１０は、筐体１２を備える。筐体１２の前面には、撮像用レンズ１４の前面をカバー可能なレンズカバー１６が取り付けられている。レンズカバー１６は長方形板状とされ、図示しないガイドに沿って、撮像用レンズ１４をカバーする閉位置Ｐ１（図１（Ａ）参照）と、撮像用レンズ１４の前面を開放する開位置Ｐ２（図１（Ｂ）参照）との間を移動可能とされている。
【００１５】
筐体１２のレンズカバー１６に覆われる位置には、図２（Ａ）〜（Ｃ）に示すように、収納部２２が構成されている。収納部２２には、クリックシャフト２０が収納されている。クリックシャフト２０は、先端部２０Ａ、規制部２０Ｂ、及び後端部２０Ｃで構成されている。後端部２０Ｃは、収納部２２の奥側に配置され、後端部２０Ｃにはコイルスプリング２４が巻き掛けられている。また、収納部２２の奥側には孔２６が構成されており、後端部２０Ｃが孔２６から凹部２２の内側と外側とを出入り可能とされている。先端部２０Ａは、収納部２２の手前側に配置され、その先端部分が先細りのテーパー状とされている。収納部２２の手前側には、開口部２２Ａが構成されている。先端部２０Ａは、開口部２２Ａから収納部２２の外側へ突出可能とされている。規制部２０Ｂは、円板状とされ、先端部２０Ａと後端部２０Ｃとの間に配置されている。規制部２０Ｂの径は凹部２２の開口部２２Ａよりも大きいサイズとされ、収納部２２の開口部２２Ａ側の壁に当接可能とされている。クリックシャフト２０は、コイルスプリング２４により筐体１２の外側方向へ付勢されている。なお、クリックシャフト２０は、閉位置Ｐ１で後述するリブ３５とストッパー４０との間に係合される際、及び、開位置Ｐ２でレンズカバー１６の図示しない係合部と係合される際に、ユーザーがクリック感を得られる構成とされている。
【００１６】
レンズカバー１６の、クリックシャフト２０と対向する位置（レンズカバー１６が閉位置Ｐ１に配置されているとき）には、ロック解除ボタン３０が設けられている。ロック解除ボタン３０は、レンズカバー１６に形成されたボタン取付部３２に取り付けられている。ロック解除ボタン３０は、押圧部３０Ａ、規制部３０Ｂ、及び、当接部３０Ｃで構成されている。ボタン取付部３２は、筐体側壁３２Ａ、及び前・側面壁３２Ｂで構成されている。ボタン取付部３２の内側には、ロック解除ボタン３０が収納されている。ロック解除ボタン３０の押圧部３０Ａは、ボタン取付部３２の筐体１２から遠い側に配置され、当接部３０Ｃは、ボタン取付部３２の筐体１２に近い側に配置され、規制部３０Ｂは、押圧部３０Ａと当接部３０Ｃとの間に配置されている。筐体側壁３２Ａには、孔３４が構成されている。当接部３０Ｃは円柱形状とされ、孔３４からボタン取付部３２の内側と外側とを出入り可能とされている。当接部３０Ｃにはコイルスプリング３８が巻き掛けられている。前・側面壁３２Ｂには、開口３６が構成されている。押圧部３０Ａは直方体状とされ、開口３６からボタン取付部３２の内側と外側とを出入り可能とされている。規制部３０Ｂは、長方形板状とされ、板面のサイズは開口３６よりも大きく前・側面壁３２Ｂの開口３６が形成された内側の壁に当接可能とされている。ロック解除ボタン３０は、コイルスプリング３８により押圧部３０Ａが開口３６から突出する方向へ付勢されている。
【００１７】
筐体１２と筐体側壁３２Ａとの間は、所定距離離間されており、（以下この距離を「当接代Ｄ」という）クリックシャフト２０の先端部２０Ａは、通常時（外部から力が加えられていない状態の時）には、開口部２２Ａから当接代Ｄだけ突出される構成とされている。ロック解除ボタン３０の当接部３０Ｃは、通常時には、その先端面が筐体側壁３２Ａの外側面と同一面を形成する位置に配置され、ロック解除ボタン３０の押圧部３０Ａは、その一部が開口３６から外側へ突出されている。ロック解除ボタン３０の当接部３０Ｃとクリックシャフト２０の先端部２０Ａとは、レンズカバー１６が閉位置Ｐ１に配置されているときには、互いに接触されている。
【００１８】
筐体側壁３２Ａには、孔３４の撮像用レンズ１４側にストッパー４０が設けられ、孔３４を挟んでストッパー４０と逆側には、リブ３５が設けられている。ストッパー４０は、筐体側壁３２Ａに取り付けられ、孔３４側の面４０Ａは、図２（Ａ）に示すように、クリックシャフト２０と当接されて、レンズカバー１６の閉位置Ｐ１から開位置Ｐ２方向（この方向を以下「Ｙ方向」という）への移動を制限可能とされている。ストッパー４０の撮像用レンズ１４側の面には、図２（Ｃ）に示すように、レンズカバー１６の開位置Ｐ２側から閉位置Ｐ１方向（この方向を以下「Ｘ方向」という）への移動により、クリックシャフト２０を筐体１２の内側方向へ移動させることの可能な傾斜がつけられた傾斜面４０Ｂとされている。クリックシャフト２０は、リブ３５とストッパー４０との間に係合可能とされている。
【００１９】
次に、本実施形態の作用について説明する。
【００２０】
図１に示すように、レンズカバー１６が閉位置Ｐ１に配置されているときには、撮像用レンズ１４は、前面がレンズカバー１６に覆われている。また、クリックシャフト２０の先端部２０Ａは、開口部２２Ａから当接代Ｄだけ突出されている。このとき、クリックシャフト２０は、リブ３５とストッパー４０との間に係合されている。この状態で、レンズカバー１６に対して、レンズカバー１６を閉位置Ｐ１から開位置Ｐ２へ移動させる力が加えられても、クリックシャフト２０の先端部２０Ａがストッパー４０の面４０Ａに当接されて移動が規制される。
【００２１】
レンズカバー１６を閉位置Ｐ１から開位置Ｐ２へ移動させる際には、押圧部３０Ａを押す。これにより、図２（Ｂ）に示すように、クリックシャフト２０は、ロック解除ボタン３０に押されて、筐体１２の内側方向へ移動する。この状態で、レンズカバー１６をＹ方向へ移動させると、レンズカバー１６は同方向へ移動され、ストッパー４０を乗り越えることができる。図２（Ｃ）に示すように、ストッパー４０を乗り越えた後は、押圧部３０Ａへの押圧を解除しても、レンズカバー１６をＹ方向へ移動可能である。レンズカバー１６の移動の際には、クリックシャフト２０の先端部２０Ａとレンズカバー１６の内側面とが摺動されている。レンズカバー１６が開位置Ｐ２に至ると、クリックシャフト２０の先端部２０Ａは、レンズカバー１６の裏面に形成された図示しない係合部と係合され、この位置で係止される。
【００２２】
レンズカバー１６を開位置Ｐ２から閉位置Ｐ１へ移動させる際には、レンズカバー１６をＸ方向へ移動させる。レンズカバー１６がクリックシャフト２０とストッパー４０の傾斜面４０Ｂとが接する位置まで移動されると、クリックシャフト２０はストッパー４０の斜面に押されて、筐体１２の内側方向へ移動される。そして、クリックシャフト２０がストッパー４０を乗り越えると、図２（Ａ）に示すように、レンズカバー１６が閉位置Ｐ１に配置されると共に、クリックシャフト２０がリブ３５とストッパー４０との間に係合される。
【００２３】
本実施形態によれば、レンズカバー１６が閉位置Ｐ１に配置されているときには、クリックシャフト２０とストッパー４０との当接により、レンズカバー１６の開位置Ｐ２方向への移動が規制されているので、レンズカバー１６が不用意に閉位置Ｐ１から開位置Ｐ２方向へと移動されるのを防止することができる。
【００２４】
また、クリックシャフト２０を前記の移動防止のために利用しているので、別部材を用いてレンズカバー１６をロックする場合と比較して、部品点数を減少させ、簡易な構成とすることができる。
【００２５】
また、クリックシャフト２０の先端部２０Ａが先細りのテーパー状とされているので、レンズカバー１６の内側面と摺動される際の接触面積を小さくすることができ、レンズカバー１６をスムーズに移動させることができる。
【００２６】
なお、本実施形態では、ロック解除ボタン３０は、ユーザーによる押圧でクリックシャフト２０を筐体１２の内側へ移動させる構成としたが、図３に示すように、回動によりクリックシャフト２０を筐体１２の内側へ移動させる構造としてもよい。すなわち、ロック解除ボタン３０に代えて、ロック解除レバー６０を設ける。ロック解除レバー６０は、ピン６２を中心に回動可能とされ、筐体１２側にクリックシャフト２０を押圧可能な傾斜が付けられている。ロック解除レバー３０は、通常時には図３（Ａ）に示すように、付勢されて撮像用レンズ１４側に配置される。ロック解除レバー６０を撮像用レンズ１４を撮像用レンズ１４から離れる方向（Ｅ方向）へ移動させると、ロック解除レバー６０によりクリックシャフト２０が押されて筐体１２の内側へ移動し、レンズカバー１６をＹ方向に移動させることができるようになるのである。
【図面の簡単な説明】
【００２７】
【図１】本実施形態のカメラの、（Ａ）はレンズカバーが閉位置に配置されている状態の前面図であり、（Ｂ）はレンズカバーが開位置に配置されている状態の前面図である。
【図２】本実施形態のカメラのロック解除ボタンとクリックシャフトの動作を説明する断面図である。
【図３】本実施形態のカメラの変形例を示す前面図である。
【符号の説明】
【００２８】
１  特許文献
１０  カメラ（撮像装置）
１２  筐体
１４  撮像用レンズ
１６  レンズカバー
２０  クリックシャフト（クリック部材）
２４  コイルスプリング（付勢部材）
３０  ロック解除ボタン（ロック解除部材）
４０  ストッパー（ロック部材）
６０  ロック解除レバー（ロック解除部材）
【図１】
2005141112.tif 000003
【図２】
2005141112.tif 000004
【図３】
2005141112.tif 000005